(57)【要約】      （修正有）【課題】閉鎖時の気密性が高く、かつ、通風抵抗を低減したシャッター装置を提供する。【解決手段】筒形状のシャッター支持枠３と、シャッター支持枠３に回動自在に取り付けられた略平板形状の複数のシャッター２ａ，２ｂとを備えたシャッター装置であって、シャッター支持枠３は、仕切板３ｂで分割され複数のシャッター２ａ，２ｂがそれぞれ取り付けられる複数の開口部を有し、複数のシャッター２ａ，２ｂの少なくとも１枚の一端部５が仕切板３ｂに当接することで、シャッター支持枠３の風路が閉鎖する閉状態となる。【選択図】図３
2015183871.tif 000002
【特許請求の範囲】
【請求項１】
筒形状のシャッター支持枠と、該シャッター支持枠に回動自在に取り付けられた略平板形状の複数のシャッターとを備えたシャッター装置であって、
前記シャッター支持枠は、仕切板で分割され前記複数のシャッターがそれぞれ取り付けられる複数の開口部を有し、
前記複数のシャッターの少なくとも１枚の一端部が前記仕切板に当接することで、前記シャッター支持枠の風路が閉鎖する閉状態となることを特徴とするシャッター装置。
【請求項２】
前記シャッター支持枠の内周面には、該内周面から凸設された壁部が形成され、
前記閉状態のときには、前記複数のシャッターの周縁の少なくとも一部が前記壁部に当接することを特徴とする請求項１に記載のシャッター装置。
【請求項３】
前記閉状態のときには、前記複数のシャッターの少なくとも１枚の一端部が前記仕切板に当接するとともに、前記複数のシャッターのうちの少なくとも１枚の他端部が前記壁部に当接することを特徴とする請求項２に記載のシャッター装置。
【請求項４】
前記シャッター支持枠の前記開口部には、一対のピン支持部が一体成形されて凸設され、
前記複数のシャッターの一面側には、前記ピン支持部が挿入される一対のピン受け部が立設され、
前記シャッター支持枠の風路を開放する開状態のときには、前記複数のシャッターの一面側が上面となって保持されることを特徴とする請求項１〜３のいずれか１項に記載のシャッター装置。
【請求項５】
前記複数のシャッターは、前記一面側に凸形状となるよう曲折して形成されていることを特徴とする請求項４に記載のシャッター装置。
【請求項６】
前記仕切板は平板形状であり、前記シャッター支持枠の風路に対して平行となるように形成されたことを特徴とする請求項１〜５のいずれか１項に記載のシャッター装置。
【請求項７】
前記シャッター支持枠及び、前記複数のシャッターは、樹脂製であることを特徴とする請求項１〜６のいずれか１項に記載のシャッター装置。
【請求項８】
請求項１〜７のいずれか１項に記載のシャッター装置を備えたことを特徴とする換気扇。
【発明の詳細な説明】
【技術分野】
【０００１】
本発明は、複数枚のシャッターを備えたシャッター装置、及びそのシャッター装置を備えた換気扇に関するものである。
【背景技術】
【０００２】
従来の換気扇には、排気運転をしない場合、自重により排気風路となるダクト接続枠を閉鎖状態とするシャッター装置が設けられている。このシャッター装置は、例えば１枚もしくは複数枚のシャッターにより構成され、換気扇の停止時に外風の侵入を防ぐようになっている。
【０００３】
１枚シャッター式の場合、図６〜１０に示す従来のシャッター装置のようにダクト接続枠１に沿った形状のシャッター支持枠３を備えている。シャッター支持枠３には、シャッター２の支持ピン４が設けられており、シャッター２はこの支持ピン４に支持されている。シャッター２の閉鎖時にはシャッター２の周縁がシャッター支持枠３の内周に設けられた壁部３ｃと当接することで密閉性を高めている。
【０００４】
一方、複数枚シャッター式の場合は、図１１、１２や特許文献１（第２図を参照）に示す従来のシャッター装置のように、ダクト接続枠１内でシャッター２ａ、２ｂの開閉回動が可能となるため、シャッター２ａ、２ｂの形状に制限がなく、ダクト接続枠１の開口形状に則した形状が可能となり、シャッター２ａ、２ｂのみで、ある程度の密閉性を保つことができる。さらに、１枚式シャッター式と比較してシャッター支持枠３がないため、風路が広くなり、風量、騒音などの性能面で有利となる。
【先行技術文献】
【特許文献】
【０００５】
【特許文献１】特開平３−１５６２３７号公報
【発明の概要】
【発明が解決しようとする課題】
【０００６】
しかしながら、１枚式シャッターは、全開時（水平時）にシャッターの一部がダクト接続枠の筒内から飛び出すため、シャッターの形状が制限される。すると、シャッターの形状がシャッター支持枠の開口径よりも小さくなることに伴い、シャッター支持枠とシャッターとの隙間を塞ぐため壁部がシャッター支持枠内の風路に対して大きく張り出す構成となる。このため、壁部が通風抵抗となり、風量、騒音などの性能面に悪影響を及ぼす問題があった。
また、複数枚シャッター式は、シャッター支持枠を備えていないため密閉性が低くなっており、気密性の高い住宅では、換気扇の停止時に外気が侵入してしまう問題があった。
【０００７】
本発明は、上記のような課題を解決するためになされたもので、閉鎖時の気密性が高く、かつ、通風抵抗を低減したシャッター装置、及びそのシャッター装置を備えた換気扇を提供することを目的とする。
【課題を解決するための手段】
【０００８】
本発明に係るシャッター装置は、筒形状のシャッター支持枠と、シャッター支持枠に回動自在に取り付けられた略平板形状の複数のシャッターとを備えたシャッター装置であって、シャッター支持枠は、仕切板で分割され複数のシャッターがそれぞれ取り付けられる複数の開口部を有し、複数のシャッターの少なくとも１枚の一端部が仕切板に当接することで、シャッター支持枠の風路が閉鎖する閉状態となるものである。
【発明の効果】
【０００９】
本発明に係るシャッター装置によれば、シャッター支持枠が仕切板で分割され、複数のシャッターがそれぞれ取り付けられる複数の開口部を有し、閉鎖時に複数のシャッターの少なくとも１枚の一端部が仕切板に当接することで、閉鎖時の気密性が高く、かつ、開放時には通風抵抗を低減したシャッター装置、及びそのシャッター装置を備えた換気扇を提供することができる。
【図面の簡単な説明】
【００１０】
【図１】実施の形態１に係るシャッター装置を備えたダクト用換気扇の断面図である。
【図２】実施の形態１に係るシャッター装置が開いた状態のダクト接続枠の断面図である。
【図３】実施の形態１に係るシャッター装置が閉じた状態のダクト接続枠の断面図である。
【図４】実施の形態１に係るシャッター装置が開いた状態のダクト接続枠の斜視図である。
【図５】実施の形態１に係るシャッター装置が閉じた状態のダクト接続枠の斜視図である。
【図６】従来の１枚シャッター式のシャッター装置が開いた状態の断面図である。
【図７】従来の１枚シャッター式のシャッター装置が閉じた状態の断面図である。
【図８】従来の１枚シャッター式のシャッター装置が閉じた状態の別方向断面図である。
【図９】従来の１枚シャッター式のシャッター装置が開いた状態の斜視図である。
【図１０】従来の１枚シャッター式のシャッター装置が閉じた状態の斜視図である。
【図１１】従来の複数枚シャッター式のシャッター装置が開いた状態の断面図である。
【図１２】従来の複数枚シャッター式のシャッター装置が閉じた状態の断面図である。
【発明を実施するための形態】
【００１１】
以下、本発明に係るシャッター装置について、図面を用いて説明する。
重複又は類似する説明については、適宜簡略化又は省略している。
【００１２】
実施の形態１．
本発明の実施の形態１に係るシャッター装置を備えた換気扇について図１に基づいて説明する。
図１は、実施の形態１に係るシャッター装置を備えたダクト用換気扇の断面図である。
【００１３】
＜ダクト用換気扇の構成＞
ダクト用換気扇１００は、換気する空気を流通させる換気駆動体である多翼式送風機１５と、この多翼式送風機１５を収納し、風路の形成を目的とするファンケーシング２２とを有している。多翼式送風機１５は、モーター１６と、このモーター１６の駆動軸に差込結合されたファン１７とから構成されている。
【００１４】
ダクト用換気扇１００は、ボディ（本体）２１と、化粧パネル３０と、ダクト接続枠１とから構成されている。
【００１５】
ボディ２１は、一面（設置状態における下面）を開口した箱型で形成されている。ボディ２１の開口側には、ボディ２１を天井にネジ固定するためのネジ穴が形成されたフランジ（縁部）２１ａが備えられる。
【００１６】
化粧パネル３０は、ファンケーシング２２に備えたパネル引っ掛け部２２ａに捩りバネ３１を引っ掛けることで着脱可能に吊支持され、フランジ２１ａを覆って、ボディ２１の開口を塞ぐように取り付けられる。化粧パネル３０は、ダクト用換気扇１００の意匠性の向上や、ファン１７への異物混入の防止を主な目的として設けられる。このように捩りバネ３１を使用することで、天井材の厚さが変化しても対応が可能な構成となっている。
なお、図１では捩りバネ３１はパネル引っ掛け部２２ａに引っ掛かっていない状態を示す。
【００１７】
ダクト接続枠１は、ボディ２１の側部に設けられて、ボディ２１の側面から直角方向に延びた吹出口１ｂをダクトに連通する位置まで延長する段付きの構成となっている。
【００１８】
ダクト接続枠１内には、電動又は風圧にて開閉するシャッター２が設けられている。シャッター２はダクト用換気扇１００の運転時には風圧で開いてダクト接続枠１を開放し、停止時にはシャッター２の自重で回動しダクト接続枠１を閉鎖する。
【００１９】
このように、シャッター２を設けることで、ダクト用換気扇１００の停止時に屋外からの外気が室内に侵入するのを防止することができる。気密性の高い住宅が多い昨今では外部からの外気侵入を防ぐため、密閉度のより高いシャッター機構が求められている。以下に本実施の形態１に係るシャッター装置の構成を説明する。
【００２０】
＜シャッター装置の構成＞
図２は、実施の形態１に係るシャッター装置が開いた状態のダクト接続枠の断面図である。
図３は、実施の形態１に係るシャッター装置が閉じた状態のダクト接続枠の断面図である。
図４は、実施の形態１に係るシャッター装置が開いた状態のダクト接続枠の斜視図である。
図５は、実施の形態１に係るシャッター装置が閉じた状態のダクト接続枠の斜視図である。
【００２１】
実施の形態１に係るシャッター装置は、図２〜５に示すように筒状のダクト接続枠１の内側に取り付けられるシャッター支持枠３と、シャッター支持枠３に回動自在に支持される２枚のシャッター２ａ、２ｂと、により構成されている。
【００２２】
ダクト接続枠１は、上記のように段付きの筒形状となっており、金属または樹脂により形成されている。また、ダクト用換気扇１００に接続される一端部には筒形状の外周方向に延設されたフランジ部１ａを有している。
【００２３】
このフランジ部１ａは、ビスやボルトナットまたはクリップ等でダクト用換気扇１００の排気口に取り付けられる。ダクト接続枠１の他端部側は吹出口１ｂとなっており、外周面にダクトが挿入され固定される。ダクト接続枠１の吹出口１ｂ側の外径は、径の異なる複数の段状に形成されており、接続されるダクトの径によってそのダクトが対応したダクト接続枠１の外径部分に挿入される。
【００２４】
シャッター支持枠３は、ダクト接続枠１の内周形状と一致する筒形状の外周部３ａと、この外周部３ａを例えば２等分するように中央に架け渡された仕切板３ｂとで構成されている。外周部３ａの外面は、ダクト接続枠１のフランジ部１ａ側の内面に取り付けられている。仕切板３ｂは、外周部３ａ内に形成される風路と平行となる平板状の部材である。
【００２５】
また、外周部３ａの内面には外周部３ａから凸設された壁部３ｃが全周に形成されている。そして、外周部３ａの内面の対向する２位置には、後述するシャッター２ａ、２ｂの回転軸となる支持ピン４が一体成形されている。支持ピン４は、仕切板３ｂによって２等分された各開口部にそれぞれ１対ずつ設けられている。シャッター支持枠３の材質は樹脂製とすることができる。
【００２６】
シャッター２ａ、２ｂは、板状の樹脂により形成されている。シャッター２ａ、２ｂの対向する２位置には、一対のピン受部２ｃが立設されている。ピン受部２ｃは、シャッター２ａ、２ｂの重心を通る仮想線に対して偏心した位置に設けられる。これは、シャッター２ａ、２ｂの自重により風路を閉塞させるためである。ピン受部２ｃには、シャッター支持枠３に形成された支持ピン４が係合する円形のピン受孔が開口している。
【００２７】
したがって、シャッター２ａ、２ｂをシャッター支持枠３の一対の支持ピン４に回動自在に取り付けることができる。また、シャッター２ａ、２ｂの先端５側には、閉位置において風路の風上側に若干折り曲げられた曲折部２ｄが設けられている。
なお、実施の形態１では、２枚のシャッター２ａ、２ｂを備えたシャッター装置を説明したが、３枚以上のシャッターを備えたシャッター装置としてもよい。
【００２８】
＜シャッター装置の開閉動作＞
次に、実施の形態１に係るシャッター装置の開閉動作について説明する。
図２及び図４は、シャッター装置の風路が開いている状態（シャッター２ａ、２ｂの開位置）を示している。
【００２９】
これは、ダクト用換気扇１００が運転し、気流の動圧がシャッター２ａ、２ｂの一面に作用しシャッター２ａ、２ｂが閉位置から水平方向に回動した状態である。シャッター２ａ、２ｂの先端５側は、曲折部２ｄにより閉位置において風路の風上側に若干曲折されているため、気流の動圧を効率よく受け止めることができる。
また、このシャッター２ａ、２ｂの開位置において、ピン受部２ｃがシャッター２ａ、２ｂの上面となるようにシャッター２ａ、２ｂがシャッター支持枠３に取り付けられているので、支持ピン４に吊られた状態となり安定した開位置を保持することができる。
【００３０】
図３、図５は、シャッター装置の風路が閉じている状態（シャッター２ａ、２ｂの閉位置）を示している。
これは、ダクト用換気扇１００が停止し、気流の動圧が無くなってシャッター２ａ、２ｂが自重で開位置から閉位置に回動した状態である。閉位置では、図３に示すように上方のシャッター２ａの先端５が仕切板３ｂの一端部に当接する。また、上方のシャッター２ａの後端６がシャッター支持枠３の壁部３ｃにフランジ部１ａ側から当接する。
【００３１】
さらに、下方のシャッター２ｂの先端５がシャッター支持枠３の壁部３ｃに吹出口１ｂ側から当接し、下方のシャッター２ｂの後端６が仕切板３ｂの他端部に当接する。また、図５に示すようにシャッター２ａ、２ｂの側部７は、シャッター支持枠３の壁部３ｃに当接する。
【００３２】
このように、閉位置においてシャッター２ａ、２ｂの周縁がシャッター支持枠３の各対応部位に当接することで、複数枚のシャッターを備えたシャッター装置の気密性を向上させることができる。また、仕切板３ｂは、風路に対し平行となるような平板状部材であるため、風路面積の減少を最小限に抑え、ダクト用換気扇１００が運転したときの通風抵抗が小さくなるように構成されている。
【００３３】
本実施の形態１に係るシャッター装置は、このような開閉動作をするため、ダクト用換気扇１００が運転を開始するとシャッター２ａ、２ｂの閉位置から短時間で開位置に移行するとともに、開位置を安定して保持することができる。また、ダクト用換気扇１００が停止すると、シャッター２ａ、２ｂは重力により直ちに閉位置に回動し、外気の流入に対して高い気密性を発揮することができる。
【００３４】
また、シャッター２ａ、２ｂとシャッター支持枠３とを樹脂製にて形成しているため、開位置から閉位置にシャッター２ａ、２ｂが回動し、両部材が当接しても衝撃音が発生することがない。
そして、シャッター支持枠３に支持ピン４が一体形成されているため、支持ピン４を別部材としてシャッター支持枠３に取り付ける必要がなく、部品点数の削減や制作工程の簡素化を実現することができる。
【００３５】
なお、実施の形態１に係るシャッター装置は、ダクト用換気扇１００による気流の動圧によりシャッター２ａ、２ｂを開閉する構成としたが、シャッター２ａ、２ｂをモータ等の駆動手段により開閉する構成としてもよい。
【符号の説明】
【００３６】
１  ダクト接続枠、１ａ  フランジ部、１ｂ  吹出口、２  シャッター、２ａ  シャッター、２ｂ  シャッター、２ｃ  ピン受部、２ｄ  曲折部、３  シャッター支持枠、３ａ  外周部、３ｂ  仕切板、３ｃ  壁部、４  支持ピン、５  先端、６  後端、７  側部、１５  多翼式送風機、１６  モーター、１７  ファン、２１  ボディ、２１ａ  フランジ、２２  ファンケーシング、２２ａ  パネル引っ掛け部、３０  化粧パネル、３１  バネ、１００  ダクト用換気扇。
【図１】
2015183871.tif 000003
【図２】
2015183871.tif 000004
【図３】
2015183871.tif 000005
【図４】
2015183871.tif 000006
【図５】
2015183871.tif 000007
【図６】
2015183871.tif 000008
【図７】
2015183871.tif 000009
【図８】
2015183871.tif 000010
【図９】
2015183871.tif 000011
【図１０】
2015183871.tif 000012
【図１１】
2015183871.tif 000013
【図１２】
2015183871.tif 000014